(57)【要約】【課題】  通常セレクタの数を増加させることなく、多数の入力端子をセレクタに割当てることができるＡＶアンプを提供する。【解決手段】  ＡＶアンプ１には、通常セレクタに加えて、ＡＶアンプ１に設けられている操作手段のユーザ操作によって入力端子を割当てることができない仮想セレクタが設けられている。仮想セレクタには、ＰＣ１をＡＶアンプ１に接続し、ＰＣ２１を操作することによってのみ、入力端子を割当てることができる。従って、通常セレクタの数を増やすことなく、通常セレクタに割当てることができずに余った入力端子を、仮想セレクタに割当てることができる。仮想セレクタに割当てられた入力端子は、仮想セレクタがユーザ操作によって選択されることにより、選択される。【選択図】図１
2011151710.tif 000002
【特許請求の範囲】
【請求項１】
コンテンツデータが入力される複数の入力端子を備えるセレクタ装置であって、
前記セレクタ装置に設けられている操作手段のユーザ操作に応じて、前記複数の入力端子の中から選択された入力端子を、１または複数の通常セレクタに割当てる通常セレクタ割当手段と、
外部機器と接続可能な接続手段と、
前記セレクタ装置に設けられている操作手段のユーザ操作に応じてではなく、前記外部機器の操作に応じてのみ、前記複数の入力端子の中から選択された入力端子を、前記通常セレクタ割当手段によっては割当てることができない１または複数の仮想セレクタに割当てる仮想セレクタ割当手段と、
ユーザ操作に応じて前記通常セレクタを選択する指示が入力された場合、前記通常セレクタに割当てられている入力端子を選択する通常セレクタ選択手段と、
ユーザ操作に応じて前記仮想セレクタを選択する指示が入力された場合、前記仮想セレクタに割当てられている入力端子を選択する仮想セレクタ選択手段とを備える、セレクタ装置。
【請求項２】
前記仮想セレクタ選択手段が、前記仮想セレクタを選択する指示が入力された場合、前記仮想セレクタに入力端子が割当てられているか否かを判断し、前記仮想セレクタに入力端子が割当てられていない場合には、前記仮想セレクタを選択しない、請求項１に記載のセレクタ装置。
【請求項３】
前記仮想セレクタ割当手段が、前記外部機器の操作に応じてのみ、前記仮想セレクタに対してコンテンツデータ調整値を設定する、請求項１または２に記載のセレクタ装置。
【請求項４】
コンテンツデータが入力される複数の入力端子を備えるセレクタ装置の動作プログラムであって、
前記セレクタ装置に設けられている操作手段のユーザ操作に応じて、前記複数の入力端子の中から選択された入力端子を、１または複数の通常セレクタに割当てる通常セレクタ割当ステップと、
前記セレクタ装置に設けられている操作手段のユーザ操作に応じてではなく、前記外部機器の操作に応じて、前記複数の入力端子の中から選択された入力端子を、前記通常セレクタ割当ステップによっては割当てることができない１または複数の仮想セレクタに割当てる仮想セレクタ割当ステップと、
ユーザ操作に応じて前記通常セレクタを選択する指示が入力された場合、前記通常セレクタに割当てられている入力端子を選択する通常セレクタ選択ステップと、
ユーザ操作に応じて前記仮想セレクタを選択する指示が入力された場合、前記仮想セレクタに割当てられている入力端子を選択する仮想セレクタ選択ステップとをコンピュータに実行させる、セレクタ装置の動作プログラム。
【発明の詳細な説明】
【技術分野】
【０００１】
本発明は、入力端子をセレクタに割当てるセレクタ装置に関する。
【背景技術】
【０００２】
ＡＶアンプには、１又は複数のＨＤＭＩ入力端子、１又は複数のアナログ映像入力端子、１又は複数のデジタル（又はアナログ）音声入力端子等を備え、ＤＶＤセレクタ、ＶＣＲセレクタ、ＣＢＬセレクタ、ＧＡＭＥセレクタ、ＣＤセレクタ等の各セレクタに対して、映像入力および音声入力に入力端子を割り当てることができる。例えば、ＤＶＤセレクタには映像入力および音声入力共にＨＤＭＩ入力端子を割当て、ＶＣＲセレクタには映像入力にコンポーネント入力端子を割当て、音声入力にはオプティカル入力端子を割り当てることができる。そして、各セレクタの中から１つのセレクタがユーザ操作によって選択されると、ＡＶアンプは、選択されたセレクタに割当てられている入力端子から入力される映像データおよび音声データを受信して、画像処理や音声処理等を実行する。
【０００３】
ここで、最近のＡＶアンプにおいては、セレクタに割当可能な入力端子数が非常に多くなっているので、セレクタの数よりも入力端子の数の方が多くなり、その結果、セレクタに割り当てることができない余分な入力端子が存在することになる。この場合、全ての入力端子にＤＶＤプレーヤ等のコンテンツ再生装置を接続した場合には、ＡＶアンプにコンテンツデータを入力できないコンテンツ再生装置が存在することになる。セレクタの数を増加させるとこの問題を解決できるが、多数のセレクタを使用しないユーザにとっては、セレクタの数が増加するとどのセレクタにどの入力端子が割り当てられているかを覚えておくのが非常に困難になるという問題がある。下記特許文献１には、ＰＣを操作することによってアンプのセレクタ名を変更する技術が記載されているが、上記課題を解決する方法は記載されていない。
【先行技術文献】
【特許文献】
【０００４】
【特許文献１】特開２０００−２７６８３３号公報
【発明の概要】
【発明が解決しようとする課題】
【０００５】
本発明は上記従来の課題を解決するためになされたものであり、その目的は、通常セレクタの数を増加させることなく、多数の入力端子をセレクタに割当てることができるセレクタ装置およびそのプログラムを提供することである。
【課題を解決するための手段】
【０００６】
本発明の好ましい実施形態によるセレクタ装置は、コンテンツデータが入力される複数の入力端子を備えるセレクタ装置であって、前記セレクタ装置に設けられている操作手段のユーザ操作に応じて、前記複数の入力端子の中から選択された入力端子を、１または複数の通常セレクタに割当てる通常セレクタ割当手段と、外部機器と接続可能な接続手段と、前記セレクタ装置に設けられている操作手段のユーザ操作に応じてではなく、前記外部機器の操作に応じて、前記複数の入力端子の中から選択された入力端子を、前記通常セレクタ割当手段によっては割当てることができない１または複数の仮想セレクタに割当てる仮想セレクタ割当手段と、ユーザ操作に応じて前記通常セレクタを選択する指示が入力された場合、前記通常セレクタに割当てられている入力端子を選択する通常セレクタ選択手段と、ユーザ操作に応じて前記仮想セレクタを選択する指示が入力された場合、前記仮想セレクタに割当てられている入力端子を選択する仮想セレクタ選択手段とを備える。
【０００７】
セレクタ装置には、通常セレクタに加えて、セレクタ装置に設けられている操作手段のユーザ操作によって入力端子を割当てることができない仮想セレクタが設けられている。仮想セレクタには、外部機器をセレクタ装置に接続し、外部機器を操作することによってのみ、入力端子を割当てることができる。従って、通常セレクタの数を増やすことなく、通常セレクタに割当てることができずに余った入力端子を、仮想セレクタに割当てることができる。仮想セレクタに割当てられた入力端子は、仮想セレクタがユーザ操作によって選択されることにより、選択される。
【０００８】
好ましい実施形態においては、前記仮想セレクタ選択手段が、前記仮想セレクタを選択する指示が入力された場合、前記仮想セレクタに入力端子が割当てられているか否かを判断し、前記仮想セレクタに入力端子が割当てられていない場合には、前記仮想セレクタを選択しない。
【０００９】
この場合、入力端子が割当てられていない仮想セレクタを誤ってユーザ操作によって選択しようとしても、当該仮想セレクタは選択されないので、コンテンツデータがセレクタ装置に入力されなくなるという問題を解決できる。
【００１０】
好ましい実施形態においては、前記仮想セレクタ割当手段が、前記外部機器の操作に応じてのみ、前記仮想セレクタに対してコンテンツデータ調整値を設定する。
【発明の効果】
【００１１】
通常セレクタの数を増加させることなく、多数の入力端子をセレクタに割当てることができるセレクタ装置およびそのプログラムを提供することができる。
【図面の簡単な説明】
【００１２】
【図１】本発明のＡＶアンプ１を示すブロック図である。
【図２】ＡＶアンプ１の外観図である。
【図３】通常セレクタテーブルを示す図である。
【図４】仮想セレクタテーブルを示す図である。
【図５】ＰＣ２１による仮想セレクタへの入力端子の割当て画面を示すである。
【図６】ＰＣ２１による仮想セレクタへの入力端子の割当て処理を示すフローチャートである。
【図７】制御部１０の仮想セレクタ選択処理を示すフローチャートである。
【発明を実施するための形態】
【００１３】
以下、本発明の好ましい実施形態によるセレクタ装置であるＡＶアンプ１について、図面を参照して具体的に説明するが、本発明はこれらの実施形態には限定されない。コンテンツデータとは、映像データ（画像データ）および／または音声データの総称である。
【００１４】
図１は、ＡＶアンプ１を示すブロック図であり、図２は、ＡＶアンプ１の外観図である。ＡＶアンプ１は、１又は複数のＨＤＭＩ入力端子（所定規格デジタル入力端子）ＩＮ１〜ＩＮ５と、１又は複数のアナログ映像入力端子（本例ではコンポーネント入力端子）ＩＮ６〜ＩＮ８と、１又は複数の（アナログ又はデジタル）音声入力端子（本例では、コアキシャル入力端子ＩＮ９、ＩＮ１０、オプティカル入力端子ＩＮ１１、ＩＮ１２）とを有する。ＨＤＭＩは、デジタルの映像データとデジタルの音声データとを１本のＨＤＭＩケーブルを介して送信することができる規格である。各入力端子には、ＤＶＤプレーヤ、ＶＣＲ、セットトップボックス、ゲーム機、ＣＤプレーヤ等のコンテンツ再生装置が接続可能である。
【００１５】
ＡＶアンプ１は、１又は複数のＨＤＭＩ出力端子（所定規格デジタル出力端子）ＯＵＴ１と、１又は複数のアナログ映像出力端子（例えばコンポーネント出力端子）ＯＵＴ２とを有する。ＨＤＭＩ出力端子ＯＵＴ１にはＨＤＭＩ規格に準拠したディスプレイ装置が接続可能であり、コンポーネント出力端子ＯＵＴ２にＨＤＭＩ規格に準拠しない（又は準拠する）ディスプレイ装置が接続可能である。
【００１６】
ＡＶアンプ１は、ＨＤＭＩ受信部（以下、ＲＸという。）２と、スイッチ部３と、ビデオデコーダ４と、画像処理部（以下、ＶＳＰという。）５と、ＨＤＭＩ送信部（以下、ＴＸという。）６と、音声処理部７と、ビデオエンコーダ８と、スイッチ部９と、マイコン等の制御部１０と、ＲＯＭ及びＲＡＭ等のメモリ１１と、操作表示部１２と、スイッチ部１３と、通信部１４と、リモコン受信部１５、１６とを備える。
【００１７】
リモコン受信部１５は、ＡＶアンプ１に付属しているリモコン送信機３０からの赤外線のリモコンコードを受信し、制御部１０に供給する。リモコン送信機３０には、後述する通常セレクタを選択するためのボタンが設けられている。リモコン受信部１６は、部屋の壁に内蔵される集中コントローラ等のリモコン送信機４０からのリモコンコード（無線でも有線でもよい。）を受信し、制御部１０に供給する。リモコン送信機４０には、後述する仮想セレクタを選択するためのボタンが設けられている。
【００１８】
ＲＸ２は、ＨＤＭＩ入力端子ＩＮ１〜ＩＮ５の中から１つのＨＤＭＩ入力端子を選択し、選択したＨＤＭＩ入力端子に入力されるＨＤＭＩデータを受信する。ＲＸ２は、受信したＨＤＭＩデータから元の映像データ（ＨＤＭＩ変換前の映像データ）を生成し、ＶＳＰ５に供給する。また、ＲＸ２は、受信したＨＤＭＩデータから元の音声データ（ＨＤＭＩ変換前の音声データ）を生成し、スイッチ部１３を介して音声処理部７に供給する。
【００１９】
スイッチ部３は、コンポーネント入力端子ＩＮ６〜ＩＮ８に入力される映像信号の中からビデオデコーダ４に供給する映像信号（つまりビデオデコーダ４に供給する映像信号が入力されるコンポーネント入力端子）を１つ選択する。また、スイッチ部３は、コンポーネント入力端子ＩＮ６〜ＩＮ８に入力される映像信号の中からスイッチ部９に供給すべき映像信号（つまりスイッチ部９に供給する映像信号が入力されるコンポーネント入力端子）を１又は複数選択する。
【００２０】
ビデオデコーダ４は、スイッチ部３から供給された映像信号をデジタルの映像データに変換し、ＶＳＰ５に供給する。
【００２１】
ＶＳＰ５は、ＲＸ２から供給される映像データ及びビデオデコーダ４から供給される映像データの中から、画像処理すべき１つの映像データを選択する。ＶＳＰ５は、画像処理した映像データの出力先として、ＴＸ６及びビデオエンコーダ８の一方を選択する。ＶＳＰ５は、選択して入力された映像データについて、画像処理（例えば、解像度変換および画質調整）を実行し、ＴＸ６およびビデオエンコーダ８のうち選択された方に出力する。
【００２２】
ＴＸ６は、ＶＳＰ５から供給された映像データをＨＤＭＩデータに変換する。ＴＸ６は、変換したＨＤＭＩデータを、ＨＤＭＩ出力端子ＯＵＴ１を介して、ディスプレイ装置に供給する。
【００２３】
スイッチ部１３は、コアキシャル入力端子ＩＮ９、ＩＮ１０、オプティカル入力端子ＩＮ１１、ＩＮ１２に入力される音声信号およびＲＸ２から供給される音声データの中から音声処理部７に供給する音声信号（つまり音声処理部７に供給する音声信号が入力される入力端子）を１つ選択する。
【００２４】
音声処理部７は、ＲＸ２からスイッチ部１３を介して供給された音声データをデコードし、遅延処理、イコライザ処理、Ｄ／Ａ変換処理、音量調整処理、増幅処理等の各処理を実行し、外部に接続されたスピーカー７０に音声信号を供給する。音声処理部７は、コアキシャル入力端子ＩＮ９、ＩＮ１０、オプティカル入力端子ＩＮ１１、ＩＮ１２からスイッチ部１３を介して入力された音声信号に、上記の各処理を実行し、外部に接続されたスピーカー７０に音声信号を供給する。
【００２５】
ビデオエンコーダ８は、ＶＳＰ５から供給される映像データをアナログの映像信号に変換し、スイッチ部９に供給する。
【００２６】
スイッチ部９は、スイッチ部３及びビデオエンコーダ８から供給される映像信号の中からコンポーネント出力端子ＯＵＴ２に出力する映像信号を選択する。
【００２７】
制御部１０は、ＡＶアンプ１の各部を制御するものであり、メモリ１１に格納されているプログラムを実行することにより、後述する各処理を実行する。
【００２８】
ＡＶアンプ１には、１又は複数の通常セレクタが設けられており、通常セレクタ毎に、映像入力および／または音声入力に対して、入力端子を割当てることができる。通常セレクタとは、ＡＶアンプ１の操作表示部１２やリモコン送信機３０等をユーザが操作することによって、入力端子を割当てることができるセレクタである（つまり、一般的なセレクタである）。通常セレクタは、ユーザがリモコン送信機３０や、ＡＶアンプ１の筐体に設けられたセレクタボタン（図２の１２Ａ〜１２Ｅ）を操作することによって、選択することができる。本例では、通常セレクタとして、ＤＶＤセレクタ、ＶＣＲセレクタ、ＣＢＬセレクタ、ＧＡＭＥセレクタ及びＣＤセレクタが設けられている。
【００２９】
図３は、メモリ１１に格納されている通常セレクタテーブルを示す図である。通常セレクタテーブルは、各通常セレクタに対して、映像入力に割当てられている入力端子と、音声入力に割当てられている入力端子と、コードとを管理するテーブルである。映像入力および音声入力に割当てられる入力端子は、最初は何も登録されておらず、ユーザ操作によって登録される。コードは、ＡＶアンプ１の製造者によって予め登録されており、リモコン送信機３０から送信される、通常セレクタを選択するためのリモコンコードである。
【００３０】
図３において、ＤＶＤセレクタには、映像入力としてＨＤＭＩ入力端子ＩＮ１が割当てられ、音声入力としてＨＤＭＩ入力端子ＩＮ１が割当てられている。ＶＣＲセレクタには、映像入力としてコンポーネント入力端子ＩＮ６が割当てられ、音声入力としてオプティカル入力端子ＩＮ１１が割当てられている。ＣＢＬセレクタには、映像入力としてコンポーネント入力端子ＩＮ７が割当てられ、音声入力としてコアキシャル入力端子ＩＮ９が割当てられている。ＧＡＭＥセレクタには、映像入力としてＨＤＭＩ入力端子ＩＮ２が割当てられ、音声入力としてＨＤＭＩ入力端子ＩＮ２が割当てられている。ＣＤセレクタには、映像入力として入力端子が割当てられておらず、音声入力としてオプティカル入力端子ＩＮ１２が割当てられている。なお、通常セレクタに入力端子を割当てる処理は従来と同様であるのでここでは説明を割愛する。
【００３１】
ＡＶアンプ１には、１又は複数の仮想セレクタ（隠しセレクタともいう。）が設けられており、仮想セレクタ毎に、映像入力および／または音声入力に対して、入力端子を割当てることができる。仮想セレクタとは、ＡＶアンプ１の操作表示部１２やリモコン送信機３０等をユーザが操作することによっては入力端子を割当てることができないセレクタである（通常セレクタ割当手段によっては仮想セレクタに入力端子を割当てることができない）。つまり、仮想セレクタは、ＡＶアンプ１に外部接続されるＰＣ２１等の外部機器（コントローラ）を製造者（作業者）等が操作することによってのみ、入力端子を割当てることができるセレクタである。
【００３２】
一般的には、仮想セレクタを選択するためのボタンは、ＡＶアンプ１のフロントパネルやＡＶアンプ１に付属のリモコン送信機３０には設けられておらず、リモコン送信機４０に設けられていればよい。従って、仮想セレクタは、ユーザがリモコン送信機４０を操作することによって、選択することができる。本例では、仮想セレクタとして、仮想セレクタ１、仮想セレクタ２および仮想セレクタ３が設けられている。
【００３３】
図４は、メモリ１１に格納されている仮想セレクタテーブルを示す図である。仮想セレクタテーブルは、各仮想セレクタに対して、映像入力に割当てられている入力端子と、音声入力に割当てられている入力端子と、コードとを管理するテーブルである。映像入力および音声入力に割当てられる入力端子は、最初は何も登録されておらず、ＰＣ２１を使用して製造者によって登録される。コードは、ＡＶアンプ１の製造者によって予め登録されており、リモコン送信機４０から送信される、仮想セレクタを選択するためのリモコンコードである。
【００３４】
図４において、仮想セレクタ１には、映像入力としてＨＤＭＩ入力端子ＩＮ３が割当てられ、音声入力としてＨＤＭＩ入力端子ＩＮ３が割当てられている。仮想セレクタ２には、映像入力としてコンポーネント入力端子ＩＮ８が割当てられ、音声入力としてコアキシャル入力端子ＩＮ１０が割当てられている。仮想セレクタ３には、映像入力としてＨＤＭＩ入力端子ＩＮ４が割当てられ、音声入力としてＨＤＭＩ入力端子ＩＮ４が割当てられている。
【００３５】
図１に戻って、通信部１４はＰＣ２１の通信部２５と通信することにより、制御部１０が仮想セレクタへの入力端子の割当処理を実行する際に、ＰＣ２１の通信部２４との間でコマンド等を送受信する。
【００３６】
ＰＣ２１は、製造者によってＡＶアンプ１の仮想セレクタ（および必要に応じて通常セレクタも同様）に入力端子を割当てるための機器である。ＰＣ２１は、一般的なＰＣであり、ＣＰＵ２２、メモリ（ＲＯＭ、ＲＡＭ等）２３、ＨＤＤ２４、通信部２５、表示部２６、操作部２７等を備える。ＨＤＤ２４には、ＡＶアンプ１の仮想セレクタ（および必要に応じて通常セレクタ）への入力端子の割当てを実行するセレクタ割当プログラムがインストールされており、当該プログラムがメモリ２３に読み出されてＣＰＵ２２によって実行されることによって、後述するＡＶアンプ１の仮想セレクタへの入力端子の割当て処理が実行される。図５は、セレクタ割当プログラムに基づいて、表示部２６に表示される仮想セレクタへの入力端子の割当処理の操作画面を示す図である。
【００３７】
以下、本発明の動作を説明する。図６は、仮想セレクタへの入力端子の割当て処理を示すフローチャートである。まず、ＡＶアンプ１の製造者がＡＶアンプ１にＵＳＢ等の所定の通信ケーブルを介してＰＣ２１を接続し、ＰＣ２１を操作し、仮想セレクタへの入力端子の割当処理を開始する指示を入力する。ＰＣ２１のＣＰＵ２２は、仮想セレクタへの入力端子の割当処理を開始する指示が入力されると、ＡＶアンプ１における現在の仮想セレクタの割当情報等を送信するようにＡＶアンプ１の制御部１０に要求する（Ｓ１）。
【００３８】
ＡＶアンプ１の制御部１０は、ＣＰＵ２２からの要求に応じて、メモリ１１に格納されている仮想セレクタテーブルの登録情報（つまり、仮想セレクタ毎に、映像入力及び音声入力に割当てられている入力端子の情報）をＣＰＵ２２に送信する（Ｓ１１）。また、制御部１０は、メモリ１１に格納されている通常セレクタテーブルの登録情報（つまり、通常セレクタ毎に、映像入力及び音声入力に割当てられている入力端子の情報）をＣＰＵ２２に送信する。
【００３９】
ＣＰＵ２２は、仮想セレクタテーブルの登録情報を受信し、メモリ２３に保存し、表示部２６に図５に示す仮想セレクタの割当処理の画面を表示させる（Ｓ２）。また、ＣＰＵ２２は、通常セレクタテーブルの登録情報を受信し、メモリ２３に保存する。図５において、各仮想セレクタの映像入力および音声入力に割当てられる入力端子を変更または新規に設定することができる。ＡＶアンプ１に設けられている入力端子の種類は、セレクタ割当プログラム内に予め書き込まれていてもよく、ＡＶアンプ１の制御部１０から通知されてもよい。ＨＤＭＩ入力端子については、複数のセレクタ（通常セレクタまたは仮想セレクタ）に割当てることができないので、ＣＰＵ２２は、既に他のセレクタに割当てられているＨＤＭＩ入力端子は選択できないように制御する。つまり、通常セレクタテーブルの登録情報を制御部１０から受信するのは、ＣＰＵ２２が、既に通常セレクタに割当てられているＨＤＭＩ入力端子を認識するためである。
【００４０】
続いて、ＣＰＵ２２は、製造者の操作によって仮想セレクタに割当てられる入力端子が変更又は新たに設定されたか否かを判断する（Ｓ３）。仮想セレクタに割当てられる入力端子が変更又は新たに設定された場合（Ｓ３でＹＥＳ）、ＣＰＵ２２は、変更又は新たに設定された仮想セレクタと、その映像入力および／または音声入力に割当てられる入力端子との情報をＡＶアンプ１の制御部１０に送信する（Ｓ４）。例えば、仮想セレクタ２の音声入力にオプティカル入力端子ＩＮ１２が設定されたとき、ＣＰＵ２２は、（仮想セレクタ２、音声入力−オプティカル入力端子ＩＮ１２）という情報を送信すればよい。
【００４１】
ＡＶアンプ１の制御部１０は、変更又は新たに設定された仮想セレクタと、その映像入力および／または音声入力に割当てられる入力端子との情報を受信すると、それに基づいて仮想セレクタへの入力端子の割当処理を実行する（Ｓ１２）。例えば、ＣＰＵ２２は、（仮想セレクタ２、音声入力−オプティカル入力端子ＩＮ１２）という情報を受信すると、仮想セレクタ２の音声入力にオプティカル入力端子ＩＮ１２を割当てる（つまり、仮想セレクタテーブルに登録する）。
【００４２】
図７は、ユーザ操作に基づく、ＡＶアンプ１の仮想セレクタの選択処理を示すフローチャートである。ユーザが仮想セレクタに割当てられている入力端子から入力される映像データ及び音声データをＡＶアンプ１で処理したい場合、例えば、リモコン送信機４０を操作し、仮想セレクタを選択するためのボタンを操作する。ＡＶアンプ１の制御部１０は、仮想セレクタ１〜３のいずれかに対するリモコンコードを受信したか否かを判断する（Ｓ２１）。これは、受信したリモコンコードが、仮想セレクタテーブルの各仮想セレクタに対して登録されているコードのいずれかと一致するかを判断することによって、判断される。
【００４３】
仮想セレクタのリモコンコードを受信した場合（Ｓ２１でＹＥＳ）、制御部１０は、受信したリモコンコードに対応する仮想セレクタ（映像入力および音声入力の少なくとも一方）に入力端子が割当てられているか否かを判断する（Ｓ２２）。受信したリモコンコードに対応する仮想セレクタに入力端子が割当てられていない（映像入力および音声入力の両方に入力端子が割当てられていない）場合（Ｓ２２でＮＯ）、リモコンコードに対応する仮想セレクタを選択せずにＳ２１に戻る。これにより、入力端子が割当てられていない仮想セレクタを選択する指示をユーザが誤って入力してしまった場合に、入力端子が割当てられていない仮想セレクタに切り替わってしまうことを防止できる。
【００４４】
受信したリモコンコードに対応する仮想セレクタに入力端子が割当てられている場合（Ｓ２２でＹＥＳ）、制御部１０は、受信したリモコンコードに対応する仮想セレクタを選択する（Ｓ２３）。例えば、図４において、仮想セレクタ１が選択される場合、制御部１０は、映像入力としてＨＤＭＩ入力端子ＩＮ３、音声入力としてＨＤＭＩ入力端子ＩＮ３を選択するように、ＨＤＭＩ受信部２、スイッチ部３、１３等を制御する。仮想セレクタ２が選択される場合、制御部１０は、映像入力としてコンポーネント入力端子ＩＮ８、音声入力としてコアキシャル入力端子ＩＮ１０を選択するように、ＨＤＭＩ受信部２、スイッチ部３、１３等を制御する。
【００４５】
なお、図７の処理において、Ｓ２２の判断処理を設けずに、仮想セレクタのリモコンコードを受信すると、仮想セレクタに入力端子が割当てられているか否かにかかわらず、必ず、受信したリモコンコードに対する仮想セレクタを選択するようにしてもよい。
【００４６】
以上のように、ＡＶアンプ１には、通常セレクタに加えて、ＡＶアンプ１に設けられている操作手段のユーザ操作によって入力端子を割当てることができない仮想セレクタが設けられている。仮想セレクタには、ＰＣ２１をＡＶアンプ１に接続し、ＰＣ２１を操作することによってのみ、入力端子を割当てることができる。従って、通常セレクタの数を増やすことなく、通常セレクタに割当てることができずに余った入力端子を、仮想セレクタに割当てることができる。
【００４７】
次に本発明の別の好ましい実施形態を説明する。本例では、仮想セレクタテーブルには、仮想セレクタ１〜３に対応付けて、画質調整値、解像度、音量、ＡＶシンク値（音声データ又は映像データを遅延させて、音声と映像とを同期させる値）（これらを総称してコンテンツデータ調整値という。）を設定することができる。これらの各値も入力端子の割当処理と同様にＰＣ２１を操作することのみによって設定することができ、ＡＶアンプ１の操作表示部１２やリモコン送信機３０のユーザ操作では設定することができない。
【００４８】
以上、本発明の好ましい実施形態を説明したが、本発明はこれらの実施形態には限定されない。本発明は、複数の入力端子を有するＴＶ受像機などのディスプレイ装置にも適用することができる。また、本発明は、ステレオアンプにも適用することができ、この場合、映像入力端子が設けられておらず、（アナログ又はデジタル）音声入力端子のみが設けられており、音声入力端子のみが仮想セレクタに割当てられる。また、本発明は、ＨＤＭＩセレクタ等にも適用可能である。ＡＶアンプの上記動作をコンピュータに実行させるためのプログラムおよびこれを記録した記録媒体という形態で提供されてもよい。
【産業上の利用可能性】
【００４９】
本発明は、ＡＶアンプ等に好適に採用され得る。
【符号の説明】
【００５０】
１              ＡＶアンプ
２              ＨＤＭＩ受信部
３              スイッチ部
４              ビデオデコーダ
５              画像処理部
６              ＨＤＭＩ送信部
７              音声処理部
８              ビデオエンコーダ
９              スイッチ部
１０            制御部
１１            メモリ
１２            操作表示部
１３            スイッチ部
１４            通信部
１５            リモコン受信部
１６            リモコン受信部
２１            ＰＣ
２２            ＣＰＵ
２３            メモリ
２４            ＨＤＤ
２５            通信部
２６            表示部
２７            操作部
ＩＮ１〜ＩＮ５  ＨＤＭＩ入力端子
ＩＮ６〜ＩＮ８  コンポーネント入力端子
ＩＮ９、ＩＮ１０  コアキシャル入力端子
ＩＮ１１、ＩＮ１２  オプティカル入力端子
【図１】
2011151710.tif 000003
【図２】
2011151710.tif 000004
【図３】
2011151710.tif 000005
【図４】
2011151710.tif 000006
【図５】
2011151710.tif 000007
【図６】
2011151710.tif 000008
【図７】
2011151710.tif 000009